(57)【要約】【課題】装置を大型化することなく、短時間停電時の供給電圧を確保する手段を提供する。【解決手段】入力される電圧を変換して所定の電圧を出力する変換部と、前記変換部に入力される電圧を検知する電圧検知手段と、前記電圧検知手段が検知する電圧に応じて、前記変換部から前記所定の電圧を出力させる電源制御部と、前記変換部に入力される電圧に基づき前記電圧検知手段が電圧を検知するための閾値を切替える切替手段と、を備え、前記電圧検知手段が前記閾値により前記変換部に入力される電圧を満足していない状態を検知すると、前記電源制御部は前記変換部から出力する前記所定の電圧を０Ｖ方向に変化せる。【選択図】        図１
2016024445.tif 000002
【特許請求の範囲】
【請求項１】
入力される電圧を変換して所定の電圧を出力する変換部と、
前記変換部に入力される電圧を検知する電圧検知手段と、
前記電圧検知手段が検知する電圧に応じて、前記変換部から前記所定の電圧を出力させる電源制御部と、
前記変換部に入力される電圧に基づき前記電圧検知手段が電圧を検知するための閾値を切替える切替手段と、
を備え、
前記電圧検知手段が前記閾値により前記変換部に入力される電圧を満足していない状態を検知すると、前記電源制御部は前記変換部から出力する前記所定の電圧を０Ｖ方向に変化せることを特徴とする電源装置。
【請求項２】
請求項１に記載の電源装置において、
前記切替手段は、スイッチング素子を有し、
前記電源制御部は、前記スイッチング素子を制御することで前記変換部から前記所定の電圧を出力させ、
前記電圧検知手段が前記閾値により前記変換部に入力される電圧を満足していない状態を検知すると、前記電源制御部は前記スイッチング素子を停止させることで前記変換部から出力する前記所定の電圧を０Ｖ方向に変化せることを特徴とする電源装置。
【請求項３】
請求項１または請求項２に記載の電源装置において、
前記切替手段は、前記電圧検知手段が入力電圧のオフを検知してから所定時間の経過後に、前記閾値を切替えることを特徴とする電源装置。
【請求項４】
請求項１から請求項３のいずれかに記載の電源装置において、
前記閾値の切替え回数は、１回であることを特徴とする電源装置。
【請求項５】
請求項１から請求項３のいずれかに記載の電源装置において、
前記閾値の切替え回数は、複数回であることを特徴とする電源装置。
【請求項６】
請求項５に記載の電源装置において、
前記切替手段は、前記電圧検知手段が入力電圧のオフを検知すると、前記閾値を低下させ、その後所定時間が経過すると、前記閾値を元に戻すことを特徴とする電源装置。
【請求項７】
請求項１から請求項６のいずれかに記載の電源装置を備えたことを特徴とする画像形成装置。
【発明の詳細な説明】
【技術分野】
【０００１】
本発明は、電源装置および電源装置を備えた画像形成装置に関する。
【背景技術】
【０００２】
従来の画像形成装置は、停電が発生した場合、各部位へ供給する電圧を確保するため、無停電電源装置などの外部電源との接続や内部電源のコンデンサの容量を上げるようにしている（例えば、特許文献１参照）。
【先行技術文献】
【特許文献】
【０００３】
【特許文献１】特開２０１１−２１８６７２号公報
【発明の概要】
【発明が解決しようとする課題】
【０００４】
しかしながら、従来の技術においては、短時間停電が発生した場合、各部位へ供給する供給電圧を確保するため、コンデンサの容量を上げることにより部品が大型化してしまい、装置の小型化を図ることができないという問題がある。
本発明は、このような問題を解決することを課題とし、装置を大型化することなく、短時間停電時の供給電圧を確保することを目的とする。
【課題を解決するための手段】
【０００５】
そのため、本発明は、入力される電圧を変換して所定の電圧を出力する変換部と、前記変換部に入力される電圧を検知する電圧検知手段と、前記電圧検知手段が検知する電圧に応じて、前記変換部から前記所定の電圧を出力させる電源制御部と、前記変換部に入力される電圧に基づき前記電圧検知手段が電圧を検知するための閾値を切替える切替手段と、を備え、前記電圧検知手段が前記閾値により前記変換部に入力される電圧を満足していない状態を検知すると、前記電源制御部は前記変換部から出力する前記所定の電圧を０Ｖ方向に変化せることを特徴とする。
【発明の効果】
【０００６】
このようにした本発明は、装置を大型化することなく、短時間停電時の供給電圧を確保することができるという効果が得られる。
【図面の簡単な説明】
【０００７】
【図１】第１の実施例における画像形成装置の制御構成を示すブロック図
【図２】第１の実施例における画像形成装置の構成を示す概略側断面図
【図３】第１の実施例における電源の構成を示すブロック図
【図４】第２の実施例における電源の構成を示すブロック図
【図５】第２の実施例における画像形成装置の制御構成を示すブロック図
【図６】第１の実施例の変形例における電源の構成を示すブロック図
【図７】第２の実施例の変形例における電源の構成を示すブロック図
【図８】第１の実施例における通常動作時の電源の動作を表すタイムチャート
【図９】第１の実施例における短時間停電時の電源の動作を表すタイムチャート
【図１０】第１の実施例におけるスイッチオフ時の電源の動作を表すタイムチャート
【図１１】第２の実施例における短時間停電時の電源の動作を表すタイムチャート
【図１２】第２の実施例におけるスイッチオフ時の電源の動作を表すタイムチャート
【図１３】比較例における短時間停電時の電源の動作を表すタイムチャート
【図１４】比較例におけるスイッチオフ時の電源の動作を表すタイムチャート
【発明を実施するための形態】
【０００８】
以下、図面を参照して本発明による電源装置および画像形成装置の実施例を説明する。
【実施例１】
【０００９】
図２は第１の実施例における画像形成装置の構成を示す概略側断面図である。
図２において、画像形成装置１００は、電源装置を備え、媒体に画像を形成するプリンタ装置等であり、給紙部１と、画像形成部２と、定着部３と、用紙排出部４とから構成されている。
給紙部１は、媒体としての用紙を収容する用紙カセット５と、用紙カセット５に収容された用紙を給紙するためのピックアップローラ６、７、８と、給紙された用紙を画像形成部２へ搬送するレジストローラ９、１０とにより構成されている。
【００１０】
画像形成部２は、カラー印刷を行う画像形成装置１００の場合、現像剤の色毎に設けられており、例えば用紙搬送方向における上流側からブラック（Ｋ）、イエロー（Ｙ）、マゼンタ（Ｍ）、シアン（Ｃ）の順に４つ配置され、それぞれ静電潜像担持体としての感光ドラム１１と、感光ドラム１１に接触し、感光ドラム１１の表面に均一に高電圧を帯電させる帯電ローラ１２と、感光ドラム１１に接触するトナー担持体としての現像ローラ１３と、現像ローラ１３に接触し、現像剤としてのトナーを現像ローラ１３へ供給するトナー供給ローラ１４とから構成されている。
【００１１】
また、露光部としてのＬＥＤ（Ｌｉｇｈｔ  Ｅｍｉｔｔｉｎｇ  Ｄｉｏｄｅ）ヘッド１５が感光ドラム１１の上方に配置され、分離可能なトナーカートリッジ１６が各色に対応して配置されている。ＬＥＤヘッド１５により選択的に光が照射された感光ドラム１１の表面にトナー像が形成される。
さらに、用紙の搬送および感光ドラム１１に形成されたトナー像を用紙に転写させる転写体としての転写ベルト１７と、転写ベルト１７を介して感光ドラム１１と当接する転写ローラ１８とが配置されている。
【００１２】
定着部３は、用紙に転写されたトナーを定着させる定着ローラ１９と、定着ローラ１９の内部にはハロゲンランプに代表されるヒータ２０と、定着ローラ１９の表面温度を検出するサーミスタに代表される温度検出センサ２１とが配置され、構成されている。
用紙搬出部４は、トナーの定着が完了した用紙を排出する排出口ローラ２２が配置されている。
【００１３】
図１は第１の実施例における画像形成装置の制御構成を示すブロック図である。
図１において、画像形成装置１００は、電源装置としての電源５００と、制御ブロック７００と、各種センサ８００と、アクチュエータ８０１とから構成されている。
電源５００は、スイッチ５０１と、ヒータオンオフ回路５０２と、一次整流／平滑回路５０３と、ＤＣ−ＤＣ変換部５０４と、ＡＣゼロクロス検出回路５０５と、ブラウンアウト切替回路５０６とから構成され、商用電源１０００より出力されるＡＣ電圧によって動作する。
【００１４】
スイッチ５０１は、電源５００の入力部に配置され、商用電源１０００の出力をオン（通電）またはオフ（非通電）する手動スイッチである。なお、近年、省エネルギー化により制御部によりオンオフするスイッチも存在する。
ヒータオンオフ回路５０２は、制御ブロック７００から出力されるヒータオンオフ信号により、定着部３内部のヒータをオンオフさせる回路である。
一次整流／平滑回路５０３は、商用電源１０００より供給されるＡＣ電圧を整流し、平滑する回路である。
【００１５】
変換部としてのＤＣ−ＤＣ変換部５０４は、入力される電圧を変換して所定の電圧を出力するものであり、一次整流／平滑回路５０３から出力されたＤＣ電圧を変換して制御ブロック７００へＤＣ電圧（供給電圧）を供給する。例えば、ＤＣ−ＤＣ変換部５０４はアクチュエータ系へＤＣ２４Ｖ、ロジック系へＤＣ５Ｖを供給する。なお、電源５００から出力されるＤＣ電圧の種類は、制御ブロック７００の構成で決定されることが一般的であり、ロジック系へＤＣ３．３Ｖを供給するようにしても良い。
電圧検知手段としてのＡＣゼロクロス検出回路５０５は、ＤＣ−ＤＣ変換部５０４に入力される電圧を検知するものであり、ＡＣ電圧のゼロ地点を検出して後述する制御部７０１へＡＣゼロクロス信号を出力する回路である。
【００１６】
切替手段としてのブラウンアウト切替回路５０６は、ＡＣゼロクロス検出回路５０５の出力に応じて後述する電源制御部４００４の制御を停止させる電圧閾値（ブラウンアウト閾値）を切替え、ＤＣ−ＤＣ変換部５０４へ出力する信号を切り替える回路である。本実施例では、ブラウンアウト切替回路５０６は、ＡＣゼロクロス検出回路５０５が検知する電圧に応じて電圧閾値を切替えるようにしている。また、ブラウンアウト切替回路５０６は、ＡＣゼロクロス検出回路５０５が入力電圧のオフを検知してから所定時間の経過後に、電圧閾値を切替えるようにしている。
【００１７】
制御ブロック７００は、制御部７０１と、ＲＯＭ（Ｒｅａｄ  Ｏｎｌｙ  Ｍｅｍｏｒｙ）７０２と、ＲＡＭ（Ｒａｎｄｏｍ  Ａｃｃｅｓｓ  Ｍｅｍｏｒｙ）７０３と、温度検出部７０６と、センサオンオフ回路７０７と、高圧電源７０８と、ヘッド制御部７０９と、アクチュエータ駆動部７１０とから構成されている。
制御部７０１は、制御プログラムや設定データ等を保存している不揮発性の記憶部としてのＲＯＭ７０２に書き込まれた制御プログラムに基づいて画像形成装置１００全体の動作を制御するＣＰＵ（Ｃｅｎｔｒａｌ  Ｐｒｏｃｅｓｓｉｎｇ  Ｕｎｉｔ）等の制御手段である。この制御部７０１は、計時手段としてのカウンタ（タイマ）等を内蔵している。
【００１８】
ＲＡＭ７０３は、データの保管や読出しを行う揮発性のメモリ等の記憶部である。
温度検出部７０６は、定着部３内部の温度検出センサの出力を抵抗分圧し、制御部７０１へ温度検出信号を出力する。
センサオンオフ回路７０７は、トランジスタで構成され、電源投入時の画像形成装置１００のウォームアップやホストコンピュータ（以下、「ホスト」という。）８０２等の指示により動作する印刷等を行うとき以外には制御部７０１よりセンサオフ信号が出力され、後述する各種センサに供給する電源をオフ（切断）するようにしている。
【００１９】
高圧電源７０８は、図２に示す画像形成部２の感光ドラム１５や各種ローラへ高圧電圧印加する電源である。
ヘッド制御部７０９は、図２に示すＬＥＤヘッド１５のオンオフを制御するものである。
アクチュエータ駆動部７１０は、制御部７０１より出力されるロジック信号を元に、後述するアクチュエータ８０１へ駆動信号を出力する専用ドライバである。
【００２０】
各種センサ８００は、給紙部１、画像形成部２、定着部３、および用紙排出部４に配設された用紙位置検出用の用紙走行路センサ、画像濃度や色ずれ補正用のセンサ等のセンサである。
アクチュエータ８０１は、アクチュエータ駆動部７１０により駆動する給紙部１、画像形成部２、定着部３、および用紙排出部４に配設されたモータ、クラッチ、ソレノイドや空冷用のファン等である。
【００２１】
図３は第１の実施例における電源の構成を示すブロック図である。
図３において、電源５００は、スイッチ５０１と、保護素子２０００と、フィルタ２００１と、ヒータオンオフ回路５０２と、突入防止回路２００２と、一次整流／平滑回路５０３と、ＤＣ−ＤＣ変換部５０４と、ＡＣゼロクロス検出回路５０５と、ブラウンアウト切替回路５０６と、二次整流／平滑回路２００３と、保護回路２００４と、二次フィルタ２００５と、電圧フィードバック部２００６と、ＤＣ−ＤＣコンバータ２００７とから構成されている。
【００２２】
スイッチ５０１は、電源５００の入力部に配置され、商用電源１０００の出力をオンまたはオフする手動スイッチである。
保護素子２０００は、過電流保護用のヒューズや雷サージ保護用のバリスタ等で構成されたものである。
フィルタ２００１は、コモンまたはノーマルチョークコイルとコンデンサで構成されたものである。コンデンサはＬＩＮＥ、ＮＥＵＴＲＡＬ間に配置するＸコンと、ＬＩＮＥまたはＮＥＵＴＲＡＬとＦＧ（フレームグラウンド）との間に配置するＹコンとから構成されたものである。
【００２３】
ヒータオンオフ回路５０２は、トライアックとフォトトライアックで構成されたものである。このヒータオンオフ回路５０２はトライアックの暴走などのアブノーマル対策としてリレー等を備えることもある。また、ヒータオンオフ回路５０２は、制御部７０１から出力されるヒートオンオフ信号により、フォトトライアックをオンオフし、トライアックをオンオフすることにより、定着部３内部のヒータへ通電する。なお、ヒータオンオフ回路５０２はヒータの数により複数備えることもある。
【００２４】
突入防止回路２００２は、一次整流／平滑回路５０３の電解コンデンサ３００２の充電時の突入電流を防止する回路である。安価な構成としてはサーミスタであるが、高温時に突入電流を防止できないため、その他に抵抗とスイッチ素子であるトライアックやリレーを組み合わせた回路を使用する。
一次整流／平滑回路５０３は、整流ダイオード３００１と電解コンデンサ３００２とにより構成されている。整流ダイオード３００１は４つのダイオードで構成され、一般的に４素子入りのブリッジダイオードと呼ばれる素子を使用することが多い。電解コンデンサ３００２はアルミ電解コンデンサを使用することが一般的である。
【００２５】
ＤＣ−ＤＣ変換部５０４は、トランス４００１と、メインＦＥＴ（Ｆｉｅｌｄ  Ｅｆｆｅｃｔ  Ｔｒａｎｓｉｓｔｏｒ）４００２と、スナバ回路４００３と、電源制御部４００４と、補助巻線整流平滑回路４００５とにより構成される。
トランス４００１は、一次、二次側を絶縁させ、また商用電源１０００より入力される電圧を変圧する機能を有する。
スイッチング素子としてのメインＦＥＴ４００２は、トランス４００１の一次側巻線に供給する電力をオンオフする。
【００２６】
スナバ回路４００３は、メインＦＥＴ４００２のオフ時のサージ電圧を抑制する回路であり、ダイオード、抵抗、コンデンサ等で構成される。
電源制御部４００４は、メインＦＥＴ４００２のゲート電圧を制御し、ＤＣ−ＤＣ変換部５０４から出力される電圧を所定の電圧にするものであり、主に二次側のＤＣ出力電圧のフィードバック結果を元に、メインＦＥＴ４００２のゲート電圧のオンデューティーを決定する。
【００２７】
補助巻線整流平滑回路４００５は、主に電源制御部４００４の電源電圧となる補助巻線出力電圧を整流／平滑するものであり、整流ダイオードと電解コンデンサで構成される。
二次整流／平滑回路２００３は、トランス４００１の二次側巻線出力電圧を整流／平滑する。図３では、ＤＣ２４Ｖを巻線単一出力としており、整流ダイオードと電解コンデンサを配置する。なお、ＤＣ２４ＶとＤＣ５Ｖを２巻線出力とする場合、ＤＣ２４ＶとＤＣ５Ｖの各々に整流ダイオードと電解コンデンサを配置する。
【００２８】
保護回路２００４は、過電圧検出回路や過電流検出回路を備えている。過電圧検出回路は、ツェナーダイオードとフォトカプラで構成され、過電圧検出時は一次側の電源制御部４００４により、ラッチあるいは間欠でスイッチング停止させる。また、過電圧検出時は補助巻線電圧も上昇するため、一次側の電源制御部４００４で検出することもできる。過電流検出回路は、電流検出あるいはＤＣ出力電圧垂下検出、ヒューズ等と回路構成は様々である。過電圧検出と同様、電源制御部４００４で検出することも可能である。
【００２９】
二次フィルタ２００５は、ＬＣフィルタであるが必ずしも必要になるものではない。
ＡＣゼロクロス検出回路５０５は、一次整流／平滑回路５０３の前段に配置され、整流ダイオード５００１と、フォトカプラ５００２とにより構成され、図１に示す制御部７０１へゼロクロス点でＨｉレベルのＡＣゼロクロス信号を出力する回路である。なお、ＡＣゼロクロス検出回路５０５の構成は一例であり、上述した構成に限定されるものではない。
【００３０】
ブラウンアウト切替回路５０６は、ＡＣゼロクロス検出回路５０５の整流ダイオード５００１の出力と接続され、トランジスタ６００１、抵抗６００２、コンデンサ６００３、分圧抵抗６００４、抵抗６００５で構成される。トランジスタ６００１は、ＮＰＮトランジスタであり、ベース電流を決定する抵抗６００２に接続される。コンデンサ６００３は、抵抗６００２とトランジスタ６００１のエミッタに接続される。抵抗６００２とコンデンサ６００３は、トランジスタ６００１のオフ時に、そのオフを遅延させる働きを有する。分圧抵抗６００４は、トランジスタ６００１のコレクタに接続され、分圧抵抗６００４の出力は、電源制御部４００４に接続される。抵抗６００５は、トランジスタ６００１のコレクタとエミッタとの間に接続される。
【００３１】
電圧フィードバック部２００６は、ＤＣ−ＤＣ変換部５０４から出力されるＤＣ２４Ｖを検出し、その検出結果を電源制御部４００４へ出力する。
ＤＣ−ＤＣコンバータ２００７は、ＤＣ−ＤＣ変換部５０４から出力されるＤＣ２４ＶをＤＣ５Ｖに降圧して出力する。
【００３２】
上述した構成の作用について説明する。
第１の実施例の電源の動作を図８〜図１０を用いて説明する。
図８は第１の実施例における通常動作時の電源の動作を表すタイムチャート、図９は第１の実施例における短時間停電時の電源の動作を表すタイムチャート、図１０は第１の実施例におけるスイッチオフ時の電源の動作を表すタイムチャートである。なお、図８〜図１０の縦軸は電圧、横軸は時間の経過を表している。
図８〜図１０は、それぞれ一次スイッチ出力電圧、一次整流／平滑電圧、一次電流、ゲート電圧、ＤＣ２４Ｖ出力電圧、ＤＣ５Ｖ出力電圧の６種類の波形を表している。
【００３３】
一次スイッチ出力電圧は、図１に示すスイッチ５０１の後段のスイッチ出力電圧であり、商用電源１０００から出力されるＡＣ電圧を表している。このＡＣ電圧は、通常、ユーザの手動操作によるスイッチ５０１のオフや制御部のオフにより、出力オフ状態となるが、スイッチ５０１がオンの状態であっても停電等により出力オフ状態となる。
一次整流／平滑電圧は、図１に示す一次整流／平滑回路５０３の後段の整流／平滑後の出力電圧を表し、数式１で表すＤＣ電圧が出力される。なお、ｒｍｓは二乗平均平方根である。
【００３４】
【数１】
2016024445.tif 000003
【００３５】
一次電流（ｒｍｓ）は、図１に示す電源５００の入力部の一次電流の実効値を表している。装置の動作モードにより、電流値の大小を示している。
ゲート電圧は、図１および図３に示すＤＣ−ＤＣ変換部５０４の電源制御部４００４より出力されるメインＦＥＴ４００２のゲート電圧を表している。
ＤＣ２４Ｖ出力電圧は、図１に示すＤＣ−ＤＣ変換部５０４より出力されるＤＣ２４Ｖの出力電圧を表している。
【００３６】
ＤＣ５Ｖ出力電圧は、図３に示すＤＣ−ＤＣコンバータ２００７より出力されるＤＣ５Ｖの出力電圧を表している。
まず、通常動作時の電源の動作を、図８の第１の実施例の通常動作時の電源の動作を表すタイムチャートの図中Ｔで表すタイミングに従って図１および図３を参照しながら説明する。
【００３７】
Ｔ１０１：スイッチ５０１を手動オンすることにより、画像形成装置は電源オン状態となり、一次整流／平滑電圧はＶ０まで上昇し、電解コンデンサ３００２は充電状態となる。なお、Ｖ０はＡＣ電圧のピーク電圧値である。ここで、一次電流（ｒｍｓ）は、電解コンデンサ３００２が充電に至るまでの間は、突入防止回路２００２で抑制された電流が流れる。
電源オン位相角を９０度、ＡＣ１００Ｖ入力、電解コンデンサ３００２の容量を３００μＦ、突入防止回路２００２の抵抗を１０Ωと仮定すると、ｔ＝２×Ｑ／Ｉより、数式２に示すように、ｔ＝３ｍｓ（ミリ秒）となる。
【００３８】
【数２】
2016024445.tif 000004
【００３９】
よって、突入電流が流れる時間は、条件によるが、数ミリ秒程である。
ゲート電圧は、電源制御部４００４を起動後に、出力開始となる。通常、電源制御部４００４がスイッチング周波数やオンデューティーを制限したソフトウェアの制御により出力を起動させている。
ＤＣ２４Ｖ出力電圧は、ゲート電圧の出力によりメインＦＥＴ４００２のスイッチングが開始され、上昇し始める。電圧フィードバック部２００６によりＤＣ２４Ｖ出力電圧が検出され、その検出結果が電源制御部４００４へフィードバックされ、電源制御部４００４はＤＣ２４Ｖを保持するように制御する。
【００４０】
ＤＣ５Ｖ出力電圧は、ＤＣ−ＤＣコンバータ２００７によりＤＣ２４ＶからＤＣ５Ｖに降圧され、出力される。
Ｔ１０２：画像形成装置はウォームアップ動作を開始し、ウォームアップ状態となる。ウォームアップを開始すると、制御部７０１はヒータオンオフ信号を出力し、ヒータオンオフ回路５０２から定着部３内部のヒータへ通電が開始され、制御部７０１がアクチュエータ８０１の動作を開始することにより、一次電流（ｒｍｓ）が増加する。
【００４１】
また、Ｔ１０１の突入電流と同様にＴ１０２においても突入電流が発生する。これは、定着部３の内部のヒータがハロゲンランプの場合、かつコールドスタートの場合、ハロゲンランプの抵抗特性上、抵抗値が低いため、突入電流が発生する。
突入電流の抑制方法としては、商用電源１０００より出力されるＡＣ電圧のゼロクロス点をＡＣゼロクロス検出回路５０５で検出し、制御部７０１へ検出結果を通知し、制御部７０１がヒートオンタイミングをＡＣ電圧の位相角の９０〜１８０°の間に設定し、オンオフするという方法がある。
【００４２】
Ｔ１０３：画像形成装置はウォームアップ動作を終了し、待機モードに移行する。待機モードに移行することにより、一次電流（ｒｍｓ）が低下する。
ウォームアップ動作を終了すると、制御部７０１はアクチュエータ８０１を停止し、かつ使用しない各種センサ８００を停止する。定着部３については、印刷指示後のウォームアップ時間の短縮を考慮し、ヒータの設定温度を変更し、ヒータのオンオフ制御は継続する。
ゲート電圧は、アクチュエータ８０１が停止し、大幅に電流が低下するため、ウォームアップ状態と比較して出力がオフの時間が長くなる。
【００４３】
Ｔ１０４：画像形成装置は、待機モードに移行してから所定の時間が経過すると待機モードからパワーセーブモードに移行する。なお、待機モードからパワーセーブモードに移行する所定の時間は、オペレーションパネル等により任意に設定可能である。
パワーセーブモードに移行することにより、一次電流（ｒｍｓ）がさらに低下する。
パワーセーブモードに移行すると、制御部７０１は、待機モードで行っていた定着部３のヒータのオンオフ制御を停止し、ヒータをオフとする。
ゲート電圧は、定着部３のヒータをオフとすること以外の動作は待機モードと同様であるため、待機モードと変わらない。
【００４４】
Ｔ１０５：画像形成装置は、ホスト８０２等から印刷指示を受けると、パワーセーブモードから印刷動作を行う印刷モードに移行する。
印刷モードに移行すると、制御部７０１がアクチュエータ８０１の動作を開始することにより、一次電流（ｒｍｓ）は、増加し、電源オン、ウォームアップ、待機、およびパワーセーブの各モードより大きい値を示している。
また、ゲート電圧は、出力がオフの時間が無くなり、かつスイッチング周波数やオンデューティーが高い状態となる。
【００４５】
次に、短時間停電時の電源の動作を、図９の第１の実施例における短時間停電時の電源の動作を表すタイムチャートの図中Ｔで表すタイミングに従って図１および図３を参照しながら説明する。図９は、数十ｍｓ程度の短時間停電時の波形を表しており、一次電流が高い状態において停電時の電圧垂下が最も早くなるため、図８における印刷モード時の短時間停電を代表して説明する。なお、一次スイッチ出力電圧、一次整流／平滑電圧、一次電流、ゲート電圧、ＤＣ２４Ｖ出力電圧、ＤＣ５Ｖ出力電圧の６種類の波形の意義は、図８と同様である。
【００４６】
Ｔ１１：印刷動作を行っている印刷モード中に停電が発生した場合、一次スイッチ出力電圧は、オフの状態となる。また、ＡＣ電圧の供給がオフとなるため、一次整流／平滑回路５０３は、放電を開始し、一次整流／平滑電圧は、電圧Ｖ０から低下する。
このとき、ブラウンアウト閾値は、後述する比較例のＶ１より低いＶ２を保持している。すなわち、比較例のブラウンアウト閾値Ｖ１＞本実施例のブラウンアウト閾値Ｖ２の関係がある。
【００４７】
ここで、ブラウンアウトとは、ＡＣ電圧を電源制御部４００４に分圧抵抗を介して入力し、ＡＣ電圧の供給低下やオフを検出し、電源制御部４００４への電源供給をオフし、電源制御部４００４による発振を停止させる機能である。つまり、メインＦＥＴ４００２のゲート電圧をオフする機能である。
また、ブラウンアウト閾値とは、電源制御部４００４への電源供給をオフにするかしないかを決定する閾値であり、ＡＣ電圧が垂下してブラウンアウト閾値を超えると電源制御部４００４への電源供給がオフされる。
【００４８】
このブラウンアウト閾値は、本実施例ではＶ２となるように、ブラウンアウト切替回路５０６の分圧抵抗６００４の定数が設定されているものとする。なお、ブラウンアウト切替回路５０６の分圧抵抗６００４の定数を変更することにより、設定を変更することができる。
一次電流（ｒｍｓ）は、印刷動作時の電流値をＩ０とすると、放電開始とともにＩ０ａに電流値が上昇する。これは、トランス４００１への供給エネルギーが低下し、後述するゲート電圧のオンデューティーが増加するためである。
【００４９】
ゲート電圧は、周波数６０〜１３０ＫＨｚ程度でオンオフを繰り返す。回路の方式により、スイッチング周波数は異なるが、図３に示す電源５００のフライバック方式では周波数６０〜１３０ＫＨｚ程度が一般的である。また、ＰＷＭ制御であり、印刷時の通常のオンデューティーを３５％程度とすると、その３５％より上昇したオンデューティーとなる。
ＤＣ２４Ｖ出力電圧およびＤＣ５Ｖ出力電圧は変化しない。
Ｔ１２：停電から復旧すると、一次スイッチ出力電圧は、オンの状態となる。また、ＡＣ電圧の供給がオンとなるため、一次整流／平滑回路５０３は充電を開始し、一次整流／平滑電圧は、垂下した電圧Ｖ０ａから電圧Ｖ０まで上昇する。
【００５０】
ここで、本実施例の一次整流／平滑電圧の垂下電圧Ｖ０ａは、後述する比較例の垂下電圧Ｖ０ｂより小さくなっている。この垂下電圧の差は、一次整流／平滑回路５０３の電解コンデンサ３００２の容量の差であり、ブラウンアウト閾値を所定時間、下げることにより、比較例に対して電解コンデンサ３００２の容量を下げることができる。
例えば、ＤＣ１２０Ｗ程度の場合、電解コンデンサ３００２の容量は３９０〜４７０μＦが必要になるが、本実施例において３３０〜３９０μＦに下げた場合、電解コンデンサ３００２の高さ、耐圧、寿命にもよるが、電解コンデンサ３００２の径をφ３０からφ２５のφ５程度の小型化が可能になる。
【００５１】
一次電流（ｒｍｓ）は、印刷動作時の電流値をＩ０とすると、Ｉ０ａから印刷動作時のＩ０に電流値が下がる。ここで、本実施例の一次電流（ｒｍｓ）の電流値Ｉ０ａは後述する比較例の電流値Ｉ０ｂよりも大きく、電流値Ｉ０ａ＞電流値Ｉ０ｂの関係である。
ゲート電圧は、印刷時の通常のオンデューティーを３５％程度とすると、その３５％より上昇したオンデューティーは通常の３５％程度に下がる。
ＤＣ２４Ｖ出力電圧およびＤＣ５Ｖ出力電圧は変化しない。
【００５２】
Ｔ１３：一次整流／平滑電圧のブラウンアウト閾値がＶ２からＶ１へと変化する。
ここで、ブラウンアウト切替回路５０６の動作を説明する。
スイッチ５０１がオンの場合、ＡＣゼロクロス検出回路５０５の整流ダイオード５００１の出力により、ブラウンアウト切替回路５０６のトランジスタ６００１がオン状態となり、抵抗６００５がショート状態となり、分圧抵抗６００４によるブラウンアウト閾値の設定をＶ２とする。
【００５３】
Ｔ１３において一次スイッチ出力電圧がオフとなることにより、ＡＣゼロクロス検出回路５０５の整流ダイオード５００１の出力がオフとなり、トランジスタ６００１のベース入力がオフの方向となるが、コンデンサ６００３が充電されているため、抵抗６００２とコンデンサ６００３の時定数により、オフが遅れる。この時定数の設定を数十ｍｓで設定し、所定時間経過後に、トランジスタ６００１がオフとなる。よって、抵抗６００５により、分圧抵抗６００４の出力電圧が変化し、ブラウンアウト閾値がＶ１となる。
このように、時定数を設定することにより、停電から所定時間が経過したＴ３１において、ブラウンアウト閾値をＶ２からＶ１へ変化させることができるようになる。
【００５４】
次に、スイッチオフ時の電源の動作を、図１０の第１の実施例におけるスイッチオフ時の電源の動作を表すタイムチャートの図中Ｔで表すタイミングに従って図１および図３を参照しながら説明する。なお、一次スイッチ出力電圧、一次整流／平滑電圧、一次電流、ゲート電圧、ＤＣ２４Ｖ出力電圧、ＤＣ５Ｖ出力電圧の６種類の波形の意義は、図８と同様である。
【００５５】
Ｔ２１：スイッチ５０１を手動オフすることにより、一次スイッチ出力電圧は、オフの状態となる。また、ＡＣ電圧の供給がオフとなるため、一次整流／平滑回路５０３は、放電を開始し、一次整流／平滑電圧は、電圧Ｖ０から低下する。このときのブラウンアウト閾値は、Ｖ２である。
【００５６】
一次電流（ｒｍｓ）は、放電開始とともにＩ０からＩ０ａに電流値が上昇する。これは、トランス４００１への供給エネルギーが低下し、ゲート電圧のオンデューティーが増加するためである。
ゲート電圧は、オンデューティーが通常の３５％より上昇したオンデューティーとなる。
ＤＣ２４Ｖ出力電圧およびＤＣ５Ｖ出力電圧は、スイッチオフ直後は変化しない。
【００５７】
Ｔ２２：一次スイッチ出力電圧は、オフの状態を継続する。このとき、ブラウンアウト閾値は、Ｖ２からＶ１に変化する。一次整流／平滑電圧が電圧Ｖ０から低下し、ブラウンアウト閾値Ｖ１に到達すると、ゲート電圧はオフとなり、ＤＣ２４Ｖ出力電圧は垂下（０Ｖ方向に変化）を開始する。
ここで、二次整流／平滑回路２００３のコンデンサの放電時間があり、実際にはゲート電圧のオフと同時に、ＤＣ２４Ｖ出力電圧は垂下を開始することはないが、図１０では省略している。
ＤＣ２４Ｖ出力電圧が垂下すると、ＤＣ−ＤＣコンバータ２００７が動作を停止し、ＤＣ５Ｖ出力電圧の出力は垂下（０Ｖ方向に変化）し、電源オフの状態となる。
【００５８】
次に、比較例の電源の動作を図１３、図１４を用いて説明する。なお、比較例の構成は、図１および図３に示す第１の実施例の構成におけるブラウンアウト切替回路が存在しない構成である。
図１３は比較例における短時間停電時の電源の動作を表すタイムチャート、図１４は比較例におけるスイッチオフ時の電源の動作を表すタイムチャートである。なお、通常動作時の電源の動作は第１の実施例と同様なのでその説明を省略する。また、図１３、図１４の縦軸は電圧、横軸は時間の経過を表している。
【００５９】
図１３、図１４は、それぞれ一次スイッチ出力電圧、一次整流／平滑電圧、一次電流、ゲート電圧、ＤＣ２４Ｖ出力電圧、ＤＣ５Ｖ出力電圧の６種類の波形を表している。なお、一次スイッチ出力電圧、一次整流／平滑電圧、一次電流、ゲート電圧、ＤＣ２４Ｖ出力電圧、ＤＣ５Ｖ出力電圧の６種類の波形の意義は、図８と同様である。
まず、短時間停電時の電源の動作を、図１３の比較例における短時間停電時の電源の動作を表すタイムチャートの図中Ｔで表すタイミングに従って図１および図３を参照しながら説明する。図１３は、数十ｍｓ程度の短時間停電時の波形を表しており、一次電流が高い状態において停電時の電圧垂下が最も早くなるため、図８における印刷モード時の短時間停電を代表して説明する。
【００６０】
Ｔ１１１：印刷動作を行っている印刷モード中に停電が発生した場合、一次スイッチ出力電圧は、オフの状態となる。また、ＡＣ電圧の供給がオフとなるため、一次整流／平滑回路５０３は、放電を開始し、一次整流／平滑電圧は、電圧Ｖ０から低下する。なお、図中のＶ１は、ブラウンアウト閾値を表している。
一次電流（ｒｍｓ）は、印刷動作時の電流値をＩ０とすると、放電開始とともにＩ０ｂに電流値が上昇する。これは、トランス４００１への供給エネルギーが低下し、後述するゲート電圧のオンデューティーが増加するためである。
【００６１】
ゲート電圧は、周波数６０〜１３０ＫＨｚ程度でオンオフを繰り返す。回路の方式により、スイッチング周波数は異なるが、図３に示す電源５００のフライバック方式では周波数６０〜１３０ＫＨｚ程度が一般的である。また、ＰＷＭ制御であり、印刷時の通常のオンデューティーを３５％程度とすると、その３５％より上昇したオンデューティーとなる。
ＤＣ２４Ｖ出力電圧およびＤＣ５Ｖ出力電圧は変化しない。
【００６２】
Ｔ１１２：停電から復旧すると、一次スイッチ出力電圧は、オンの状態となる。また、ＡＣ電圧の供給がオンとなるため、一次整流／平滑回路５０３は充電を開始し、一次整流／平滑電圧は、垂下した電圧Ｖ０ｂから電圧Ｖ０まで上昇する。
一次電流（ｒｍｓ）は、印刷動作時の電流値をＩ０とすると、Ｉ０ｂから印刷動作時のＩ０に電流値が下がる。
ゲート電圧は、印刷時の通常のオンデューティーを３５％程度とすると、その３５％より上昇したオンデューティーは３５％程度に下がる。
ＤＣ２４Ｖ出力電圧およびＤＣ５Ｖ出力電圧は変化しない。
【００６３】
次に、スイッチオフ時の電源の動作を、図１４の比較例におけるスイッチオフ時の電源の動作の動作を表すタイムチャートの図中Ｔで表すタイミングに従って図１および図３を参照しながら説明する。なお、一次スイッチ出力電圧、一次整流／平滑電圧、一次電流、ゲート電圧、ＤＣ２４Ｖ出力電圧、ＤＣ５Ｖ出力電圧の６種類の波形の意義は、図１２と同様である。
【００６４】
Ｔ１２１：スイッチ５０１を手動オフすることにより、一次スイッチ出力電圧は、オフの状態となる。また、ＡＣ電圧の供給がオフとなるため、一次整流／平滑回路５０３は、放電を開始し、一次整流／平滑電圧は、電圧Ｖ０から低下する。なお、Ｖ１はブラウンアウト閾値を表している。
一次電流（ｒｍｓ）は、放電開始とともにＩ０からＩ０ｂに電流値が上昇する。これは、トランス４００１への供給エネルギーが低下し、ゲート電圧のオンデューティーが増加するためである。
ゲート電圧は、オンデューティーが３５％より上昇したオンデューティーとなる。
ＤＣ２４Ｖ出力電圧およびＤＣ５Ｖ出力電圧は、スイッチオフ直後は変化しない。
【００６５】
Ｔ１２２：一次スイッチ出力電圧は、オフの状態を継続する。一次整流／平滑電圧が電圧Ｖ０から低下し、ブラウンアウト閾値Ｖ１に到達すると、ゲート電圧はオフとなり、ＤＣ２４Ｖ出力電圧は垂下を開始する。
ここで、二次整流／平滑回路２００３のコンデンサの放電時間があり、実際にはゲート電圧のオフと同時に、ＤＣ２４Ｖ出力電圧は垂下を開始することはないが、図１４では省略している。
ＤＣ２４Ｖ出力電圧が垂下すると、ＤＣ−ＤＣコンバータ２００７が動作を停止し、ＤＣ５Ｖ出力電圧の出力は垂下し、電源オフの状態となる。
【００６６】
ここで、第１の実施例の変形例を説明する。
図６は第１の実施例の変形例における電源の構成を示すブロック図である。
図６において、ブランアウト切替回路５０８は、ＡＣゼロクロス検出回路５０５の整流ダイオード５００１の出力ではなく、一次整流／平滑回路５０３の整流ダイオード３００１の出力に接続されている。その他の構成は図１に示す第１の実施例と同様である。
【００６７】
なお、上述した図６に示す変形例の電源の動作は、図３に示す電源の動作と同じであるが、図３に示すブラウンアウト切替回路５０６の入力接続が、図６に示すブラウンアウト切替回路５０８の入力接続より商用電源１０００に近いため、図３に示すブラウンアウト切替回路５０６の方が図６に示すブラウンアウト切替回路５０８より商用電源１０００の入力電圧の検出精度が高くなる。
【００６８】
このように、電源制御部４００４のオフ電圧閾値であるブラウンアウト閾値を比較例のブラウンアウト閾値より低く設定しておき、ＡＣゼロクロス検出回路５０５でＡＣ電圧のオフを検出し、所定時間が経過すると、ブラウンアウト切替回路５０６がブラウンアウト閾値を比較例のブラウンアウト閾値に戻すようにしたことにより、部品を大型化することなく、短時間停電時のＤＣ電圧の出力を保持することができる。
以上説明したように、第１の実施例では、電圧検知手段が検知する電圧に応じてブラウンアウト切替回路がブラウンアウト閾値を切替えるようにしたことにより、装置を大型化することなく、短時間停電時の制御部への供給電圧を確保することができるという効果が得られる。
【実施例２】
【００６９】
第２の実施例の構成は、第１の実施例の構成と比較してブラウンアウト切替回路の構成が異なっている。その第２の実施例の構成を図４および図５に基づいて説明する。なお、上述した第１の実施例と同様の部分は、同一の符号を付してその説明を省略する。
図４は第２の実施例における電源の構成を示すブロック図である。
図４において、切替手段としてのブラウンアウト切替回路５０７は、ＡＣゼロクロス検出回路５０５の整流ダイオード５００１の出力と接続され、トランジスタ７００１、トランジスタ７００２、トランジスタ７００３、コンデンサ７００４、抵抗７００５、抵抗７００６、整流ダイオード７００７、分圧抵抗７００８、抵抗７００９で構成される。
【００７０】
トランジスタ７００１は、ＮＰＮトランジスタであり、ＡＣゼロクロス検出回路５０５の整流ダイオード５００１の出力に接続される。トランジスタ７００２は、ＮＰＮトランジスタであり、抵抗を介してトランジスタ７００１のコレクタに接続される。トランジスタ７００３は、ＮＰＮトランジスタであり、コンデンサ７００４はトランジスタ７００２のエミッタに接続され、抵抗７００５はトランジスタ７００３のベースに接続される。抵抗７００６は、トランジスタ７００２のエミッタとコンデンサ７００４に接続される。
【００７１】
整流ダイオード７００７は、コンデンサ７００４と抵抗７００５に接続される。分圧抵抗７００８は、トランジスタ７００３のコレクタと接続され、抵抗７００９はトランジスタ７００３のコレクタとエミッタの間に接続される。
このように構成されたブラウンアウト切替回路５０７は、ＡＣゼロクロス検出回路５０５が入力電圧のオフを検知すると、電圧閾値（ブランアウト閾値）を低下させ、その後所定時間が経過すると、電圧閾値を元に戻すことができる。
【００７２】
図５は第２の実施例における画像形成装置の制御構成を示すブロック図である。
図５において、ブランアウト切替回路５０７は、ＡＣゼロクロス検出回路５０５の出力ではなく、一次整流／平滑回路５０３の出力と接続されている。その他の構成は図１に示す第１の実施例と同様である。
上述した構成の作用について説明する。
【００７３】
図１１は第２の実施例における短時間停電時の電源の動作を表すタイムチャート、図１２は第２の実施例におけるスイッチオフ時の電源の動作を表すタイムチャートである。なお、通常動作時の電源の動作は第１の実施例と同様なのでその説明を省略する。また、図１１、図１２の縦軸は電圧、横軸は時間の経過を表している。
図１１、図１２は、それぞれ一次スイッチ出力電圧、一次整流／平滑電圧、一次電流、ゲート電圧、ＤＣ２４Ｖ出力電圧、ＤＣ５Ｖ出力電圧の６種類の波形を表している。なお、一次スイッチ出力電圧、一次整流／平滑電圧、一次電流、ゲート電圧、ＤＣ２４Ｖ出力電圧、ＤＣ５Ｖ出力電圧の６種類の波形の意義は、図８と同様である。
【００７４】
まず、短時間停電時の電源の動作を、図１１の第２の実施例における短時間停電時の電源の動作を表すタイムチャートの図中Ｔで表すタイミングに従って図４および図５を参照しながら説明する。図１１は、数十ｍｓ程度の短時間停電時の波形を表しており、一次電流が高い状態において停電時の電圧垂下が最も早くなるため、図８における印刷モード時の短時間停電を代表して説明する。
Ｔ３１：印刷動作を行っている印刷モード中に停電が発生した場合、一次スイッチ出力電圧は、オフの状態となる。また、ＡＣ電圧の供給がオフとなるため、一次整流／平滑回路５０３は、放電を開始し、一次整流／平滑電圧は、電圧Ｖ０から低下する。
【００７５】
このとき、ブラウンアウト閾値は、Ｖ１から、Ｖ１より低いＶ２に切り替わる。すなわち、ブラウンアウト閾値Ｖ１＞本実施例のブラウンアウト閾値Ｖ２の関係がある。
一次電流（ｒｍｓ）は、印刷動作時の電流値をＩ０とすると、放電開始とともにＩ０ａに電流値が上昇する。
ゲート電圧は、印刷時の通常のオンデューティーを３５％程度とすると、その３５％より上昇したオンデューティーとなる。
ＤＣ２４Ｖ出力電圧およびＤＣ５Ｖ出力電圧は変化しない。
【００７６】
ここで、ブラウンアウト切替回路５０７の動作を説明する。
スイッチ５０１がオンの場合、ＡＣゼロクロス検出回路５０５の整流ダイオード５００１の出力により、ブラウンアウト切替回路５０７のトランジスタ７００１がオン状態となり、トランジスタ７００２がオフとなる。よって、トランジスタ７００３がオフ状態となり、抵抗７００５により、分圧抵抗７００８の出力電圧が変化することによりブラウンアウト閾値の設定がＶ１となる。
【００７７】
Ｔ３１において一次スイッチ出力電圧がオフとなることにより、ＡＣゼロクロス検出回路５０５の整流ダイオード５００１の出力がオフとなり、トランジスタ７００１がオフとなり、トランジスタ７００２がオンする。トランジスタ７００２がオンするとトランジスタ７００３がオン状態となり、抵抗７００９がショート状態となる。よって、抵抗７００９により、分圧抵抗７００８の出力電圧が変化し、ブラウンアウト閾値がＶ２となる。
【００７８】
Ｔ３２：停電から復旧すると、一次スイッチ出力電圧は、オンの状態となる。また、ＡＣ電圧の供給がオンとなるため、一次整流／平滑回路５０３は充電を開始し、一次整流／平滑電圧は、垂下した電圧Ｖ０ａから電圧Ｖ０まで上昇する。
一次電流（ｒｍｓ）は、印刷動作時の電流値をＩ０とすると、Ｉ０ａから印刷動作時のＩ０に電流値が下がる。
ゲート電圧は、印刷時の通常のオンデューティーを３５％程度とすると、その３５％より上昇したオンデューティーは通常の３５％程度に下がる。
ＤＣ２４Ｖ出力電圧およびＤＣ５Ｖ出力電圧は変化しない。
Ｔ３３：一次整流／平滑電圧のブラウンアウト閾値がＶ２からＶ１へと変化する。
【００７９】
ここで、ブラウンアウト切替回路５０７の動作を説明する。
スイッチ５０１がオンの場合、ＡＣゼロクロス検出回路５０５の整流ダイオード５００１の出力がオフ、ブラウンアウト切替回路５０７のトランジスタ７００１がオフとなり、トランジスタ７００２がオンする。トランジスタ７００２がオンすると、トランジスタ７００３がオン状態となり、抵抗７００９がショート状態となるが、コンデンサ７００４の充電が完了すると、トランジスタ７００３のベース電流が流れなくなるため、トランジスタ７００３がオフとなる。本実施例では、抵抗７００５とコンデンサ７００４の時定数により、数十ｍｓ程度の設定にする。
【００８０】
その後、一次スイッチ出力電圧がオンになると、整流ダイオード５００１の出力がオン、トランジスタ７００１がオンとなり、トランジスタ７００２がオフとなる。トランジスタ７００２がオンからオフすると、抵抗７００５とダイオード７００７でコンデンサ７００４を放電させる。
このようにして、ブラウンアウト閾値がＶ２からＶ１へ変化する。
【００８１】
次に、スイッチオフ時の電源の動作を、図１２の第１の実施例におけるスイッチオフ時の電源の動作を表すタイムチャートの図中Ｔで表すタイミングに従って図４および図５を参照しながら説明する。なお、一次スイッチ出力電圧、一次整流／平滑電圧、一次電流、ゲート電圧、ＤＣ２４Ｖ出力電圧、ＤＣ５Ｖ出力電圧の６種類の波形の意義は、図８と同様である。
【００８２】
Ｔ４１：スイッチ５０１を手動オフすることにより、一次スイッチ出力電圧は、オフの状態となる。また、ＡＣ電圧の供給がオフとなるため、一次整流／平滑回路５０３は、放電を開始し、一次整流／平滑電圧は、電圧Ｖ０から低下する。このときのブラウンアウト閾値は、Ｖ１からＶ２に変化する。
一次電流（ｒｍｓ）は、放電開始とともにＩ０からＩ０ａに電流値が上昇する。
ゲート電圧は、オンデューティーが通常の３５％より上昇したオンデューティーとなる。
ＤＣ２４Ｖ出力電圧およびＤＣ５Ｖ出力電圧は、スイッチオフ直後は変化しない。
【００８３】
Ｔ４２：一次スイッチ出力電圧は、オフの状態を継続する。このとき、ブラウンアウト閾値は、Ｖ２からＶ１に変化する。ブラウンアウト切替回路５０７の動作は図１１で説明した動作と同様である。一次整流／平滑電圧が電圧Ｖ０から低下し、ブラウンアウト閾値Ｖ１に到達すると、ゲート電圧はオフとなり、ＤＣ２４Ｖ出力電圧は垂下を開始する。
ここで、二次整流／平滑回路２００３のコンデンサの放電時間があり、実際にはゲート電圧のオフと同時に、ＤＣ２４Ｖ出力電圧は垂下を開始することはないが、図１２では省略している。
ＤＣ２４Ｖ出力電圧が垂下すると、ＤＣ−ＤＣコンバータ２００７が動作を停止し、ＤＣ５Ｖ出力電圧の出力は垂下し、電源オフの状態となる。
【００８４】
ここで、第２の実施例の変形例を説明する。
図７は第２の実施例の変形例における電源の構成を示すブロック図である。
図７において、ブランアウト切替回路５０９は、ＡＣゼロクロス検出回路５０５の整流ダイオード５００１の出力ではなく、一次整流／平滑回路５０３の整流ダイオード３００１の出力に接続されている。その他の構成は図４に示す第２の実施例と同様である。
【００８５】
なお、上述した図７に示す変形例の電源の動作は、図４に示す電源の動作と同じであるが、図４に示すブラウンアウト切替回路５０７の入力接続が、図７に示すブラウンアウト切替回路５０９の入力接続より商用電源１０００に近いため、図４に示すブラウンアウト切替回路５０７の方が図７に示すブラウンアウト切替回路５０９より商用電源１０００の入力電圧の検出精度が高くなる。
【００８６】
このように、ＡＣゼロクロス検出回路５０５でＡＣ電圧のオフを検出すると、ブラウンアウト切替回路５０７が、所定時間が経過するまでの間、電源制御部４００４のオフ電圧閾値であるブラウンアウト閾値を低下させることにより、部品を大型化することなく、ＤＣ電圧の出力を保持することができる。
また、第１の実施例では、ブラウンアウト切替回路５０７がブラウンアウト閾値を切り替えるのは１回であったが、第２の実施例では、ブラウンアウト切替回路５０７がブラウンアウト閾値を２回以上（複数回）、切り替えることができるようにしたことにより、短時間停電が複数回発生しても、部品を大型化することなく、ＤＣ電圧の出力を保持することができる。
【００８７】
以上説明したように、第２の実施例では、第１の実施例の効果に加え、短時間停電が複数回発生した場合であっても、部品を大型化することなく、ＤＣ電圧の出力を保持することができるという効果が得られる。
なお、第１の実施例および第２の実施例では、画像形成装置をプリンタ装置、特にタンデム方式のカラー４色のプリンタ装置として説明したが、それに限られるものでなく、カラー５色以上のプリンタ装置、カラー４色未満のプリンタ装置、モノクロプリンタ装置、複写装置、または複合装置（ＭＦＰ）等としても良い。
【符号の説明】
【００８８】
１００  画像形成装置
５００  電源
５０１  スイッチ
５０２  ヒータオンオフ回路
５０３  一次整流／平滑回路
５０４  ＤＣ−ＤＣ変換部
５０５  ＡＣゼロクロス検出回路
５０６、５０７、５０８、５０９  ブラウンアウト切替回路
７００  制御ブロック
８００  各種センサ
８０１  アクチュエータ
１０００  商用電源
２０００  保護素子
２００１  フィルタ
２００２  突入防止回路
２００３  二次整流／平滑回路
２００４  保護回路
２００５  二次フィルタ
２００６  電圧フィードバック部
２００７  ＤＣ−ＤＣコンバータ
【図１】
2016024445.tif 000005
【図２】
2016024445.tif 000006
【図３】
2016024445.tif 000007
【図４】
2016024445.tif 000008
【図５】
2016024445.tif 000009
【図６】
2016024445.tif 000010
【図７】
2016024445.tif 000011
【図８】
2016024445.tif 000012
【図９】
2016024445.tif 000013
【図１０】
2016024445.tif 000014
【図１１】
2016024445.tif 000015
【図１２】
2016024445.tif 000016
【図１３】
2016024445.tif 000017
【図１４】
2016024445.tif 000018